(57)【要約】【課題】小型でコストの低減化ができる簡易冷却装置を提供する。【解決手段】上流側から下流側に向けて水平に複数個併設された貯留タンク１２と、上流側の貯留タンク１２の下部と隣接する下流側の貯留タンク１２の上部とを、上流側の貯留タンク内の液体が水頭圧により下流側の貯留タンクに順次流入するよう接続するパイプ１６、１８、２０とを具備し、上流側の貯留タンク１２内で冷えて下部側に降下した液体をパイプにより隣接する下流側の貯留タンク１２の上部に水頭圧により順次流入させ、最下流の貯留タンク１２下部より冷却された液体を取り出すようにしたことを特徴とする。【選択図】図１
0003133086.tif 000002
【実用新案登録請求の範囲】
【請求項１】
上流側から下流側に向けて水平に複数個併設された貯留タンクと、
上流側の貯留タンクの下部と隣接する下流側の貯留タンクの上部とを、上流側の貯留タンク内の液体が水頭圧により下流側の貯留タンクに順次流入するよう接続するパイプとを具備し、
上流側の貯留タンク内で冷えて下部側に降下した液体を前記パイプにより隣接する下流側の貯留タンクの上部に水頭圧により順次流入させ、最下流の貯留タンク下部より冷却された液体を取り出すようにしたことを特徴とする簡易冷却装置。
【請求項２】
前記貯留タンクの外壁に放熱フィンが取付けられていることを特徴とする請求項１記載の簡易冷却装置。
【請求項３】
前記貯留タンクに向けて送風する送風機を配設したことを特徴とする請求項２記載の簡易冷却装置。
【請求項４】
最下流の貯留タンクから冷却された液体を外部に送出するためのポンプが設けられていることを特徴とする請求項１記載の簡易冷却装置。
【請求項５】
最下流の貯留タンクから冷却された液体を外部に送出するためのポンプが設けられていることを特徴とする請求項２記載の簡易冷却装置。
【請求項６】
最下流の貯留タンクから冷却された液体を外部に送出するためのポンプが設けられていることを特徴とする請求項３記載の簡易冷却装置。
【請求項７】
機械装置に接続され、該機械装置の冷却水を冷却することを特徴とする請求項４記載の簡易冷却装置。
【請求項８】
温泉水の冷却装置であることを特徴とする請求項１記載の簡易冷却装置。
【請求項９】
温泉水の冷却装置であることを特徴とする請求項２記載の簡易冷却装置。
【請求項１０】
温泉水の冷却装置であることを特徴とする請求項３記載の簡易冷却装置。
【考案の詳細な説明】
【技術分野】
【０００１】
本考案は簡易冷却装置に関する。
【背景技術】
【０００２】
各種機械装置における冷却装置において昇温された冷却水の冷却はクーリングタワーなどにより行われている。
このクーリングタワー方式は、水を上方から下方に向けて噴水し、この噴水に側方から送風機により送風して水の一部を蒸発させ、この蒸発潜熱によって水を冷却し、下方の受水槽に集水し、循環使用するものである（例えば特開平６−５５３６８号公報）。
【特許文献１】特開平６−５５３６８号公報
【考案の開示】
【考案が解決しようとする課題】
【０００３】
しかし、上記クーリングタワー方式は大型化するという課題がある。
本考案は上記課題を解決し、小型でコストの低減化ができる簡易冷却装置を提供することを目的とする。
【課題を解決するための手段】
【０００４】
すなわち、上流側から下流側に向けて水平に複数個併設された貯留タンクと、上流側の貯留タンクの下部と隣接する下流側の貯留タンクの上部とを、上流側の貯留タンク内の液体が水頭圧により下流側の貯留タンクに順次流入するよう接続するパイプとを具備し、上流側の貯留タンク内で冷えて下部側に降下した液体を前記パイプにより隣接する下流側の貯留タンクの上部に水頭圧により順次流入させ、最下流の貯留タンク下部より冷却された液体を取り出すようにしたことを特徴とする。
【０００５】
また、前記貯留タンクの外壁に放熱フィンが取付けられていることを特徴とする。
また、前記貯留タンクに向けて送風する送風機を配設したことを特徴とする。
また、最下流の貯留タンクから冷却された液体を外部に送出するためのポンプが設けられていることを特徴とする。
また、各種機械装置に接続され、該機械装置の冷却水を冷却することを特徴とする。
さらには、温泉水の冷却装置に用いて好適である。
【考案の効果】
【０００６】
本考案に係る簡易冷却装置によれば、冷却水等の液体は、複数の貯留タンクに流入する間に順次冷却され、ポンプによりプラスチック成形型等の機械装置における冷却水通路等に供給、循環使用できる。
液体は室温以下にまで冷却されることはないが、それほど低い温度までの冷却が求められるものでない分野では有効に用いることができる。
また、貯留タンクは水平に配置できるので、大型化せず、簡易、安全な冷却装置とすることができる。また、基本的に自然放熱なので、運転コストは極めて低く抑えることができる。
【考案を実施するための最良の形態】
【０００７】
以下本考案の好適な実施の形態を添付図面に基づき詳細に説明する。
図１は簡易冷却装置１０の説明図である。
１２は貯留タンクであり、水平位置に複数個併設されている。貯留タンク１２内には冷却すべき液体が流入される。
貯留タンク１２の数は特に限定されるものではないが、実施例のものでは上流側から下流側に向けて、１２ａ、１２ｂ、１２ｃ、１２ｄの４個の貯留タンクが配設されている。
【０００８】
最上流の貯留タンク１２ａには、流入管１４から、例えばプラスチック成形型の冷却水通路に供給されて温度上昇された冷却水が流入される。
貯留タンク１２ａの下部と隣接する下流側の貯留タンク１２ｂの上部との間がパイプ１６によって接続されている。
また貯留タンク１２ｂの下部と隣接する下流側の貯留タンク１２ｃの上部との間がパイプ１８によって接続されている。
【０００９】
同様に、貯留タンク１２ｃの下部と隣接する下流側の貯留タンク１２ｄの上部との間がパイプ２０によって接続されている。
最下流の貯留タンク１２ｄの下部には送水管２２が接続され、送水管２２に配設された送水ポンプＰにより、冷却水が、例えばプラスチック成形型等の機械装置の冷却装置に供給される。
【００１０】
なお、貯留タンク１２ｂへのパイプ１６の接続部位の高さは、上流の貯留タンク１２ａの水位と同じ高さかもしくはこれよりも低い位置とする。同様に、パイプ１８の貯留タンク１２ｃへの接続高さはその上流の貯留タンク１２ｂの水位と同じ高さかもしくはこれよりも低い位置とし、パイプ２０の貯留タンク１２ｄへの接続高さはその上流の貯留タンク１２ｃの水位と同じ高さかもしくはこれよりも低い位置とする。
【００１１】
本考案に係る簡易冷却装置１０は上記のように構成されている。
プラスチック成形型（図示せず）等の機械装置に供給され、熱交換により温度上昇した冷却水は、流入パイプ１４から最上流の貯留タンク１２ａに流入される。貯留タンク１２ａに流入した冷却水はタンク内で自然放熱し、温度が次第に降下し、重くなって貯留タンク１２ａ内を下降する。貯留タンク１２ａ内の水位が、パイプ１６の貯留タンク１２ｂへの接続部位よりも高いと、水頭圧により、貯留タンク１２ａの下部の冷却水はパイプ１６を通じて貯留タンク１２ｂに流入する。
【００１２】
貯留タンク１２ｂ内でも同様の現象が起こり、温度が下降して重くなった冷却水は貯留タンク１２ｂの下部からパイプ１８により貯留タンク１２ｃに流入する。同様にして貯留タンク１２ｃ内に流入して温度降下した冷却水は貯留タンク１２ｃ内を下降し、パイプ２０により貯留タンク１２ｄ内に流入する。
貯留タンク１２ｄ内でも温度降下した冷却水は貯留タンク１２ｄ内で下降する。
【００１３】
このようにして冷却水は、貯留タンク１２ａ〜１２ｄに流入する間に順次冷却され、送水ポンプＰによりプラスチック成形型等の機械装置における冷却水通路に供給、循環されるのである。
冷却水は室温以下にまで冷却されることはないが、低い温度の冷却水が要求される分野以外の機械装置には有効に用いることができる。
また、貯留タンク１２は水平に配置できるので、大型化せず、簡易、安全な冷却装置とすることができる。また、自然放熱なので、運転コストは極めて低く抑えることができる。
【００１４】
図２は、貯留タンク１２の外壁に複数の放熱用のフィン２４を取付けた実施例を示す。これにより、各貯留タンク１２での放熱効果を高めることができる。
また、放熱用のフィン２４に送風する送風機２６を配設すればさらに放熱効果を高めることができる。
【００１５】
上記では、各種機械装置における冷却水の冷却装置として用いた例を示したが、これに限定されるものではない。
例えば、温泉水を冷却するには、多量の水を加水するなどしているが、温泉水の成分が薄まるし、また水道代もばかにならない。本考案に係る簡易冷却装置は、この温泉水の冷却などに好適に用いることができる。
また、水以外の他の液体の冷却装置としても有効である。
【図面の簡単な説明】
【００１６】
【図１】簡易冷却装置の説明図である。
【図２】貯留タンクに放熱用のフィンを取付けた実施例の説明図である。
【符号の説明】
【００１７】
１０  簡易冷却装置
１２、１２ａ〜１２ｄ  貯留タンク
１４  流入管
１６、１８、２０  パイプ
２２  送水管
２４  フィン
２６  送風機
【図１】
0003133086.tif 000003
【図２】
0003133086.tif 000004